(57)【要約】【課題】  取付部における帯状体の交換が容易であり、取付部が外部から遮蔽され保護されることで、外観向上と強度低下の抑制が可能な帯状体の接続具を提供する。【解決手段】  帯状体を連結するための分割型の接続具１であって、接続具端部４に帯状体５を取付けるための取付部６と係止部７を有する雌形部８とが設けられ、前記雌形部８に抜き差し可能な係止部１０を有する雄形部材９を有し、前記雄形部材９を前記雌形部８に差し込んで係止したときに、帯状体５の取付部６が接続具外部から遮蔽されている。【選択図】  図２
2005075435.tif 000002
【特許請求の範囲】
【請求項１】
帯状体を連結するための分割型の接続具であって、接続具端部に帯状体を取付けるための取付部と係止部を有する雌形部とが設けられ、前記雌形部に抜き差し可能な係止部を有する雄形部材を有し、前記雄形部材を前記雌形部に差し込んで係止したときに、帯状体の取付部が接続具外部から遮蔽されていることを特徴とする帯状体の接続具。
【発明の詳細な説明】
【技術分野】
【０００１】
本発明は、帯状体を連結するための分割型の接続具に関し、特に運搬台車などにおける結束具として好適に用いられる帯状体の接続具に関する。
【背景技術】
【０００２】
従来、各種容器などの荷物を段積みして運搬台車などで運搬する際には、ＰＰバンドなどの帯状体を用いて、荷物と台車を結束して運搬している。運搬台車から荷物を降ろす際には、従来上記ＰＰバンドを切断する方法が採られていたが、近年は、例えば図１に示すような分割型の接続具が取り付けられたＰＰバンドを用いて結束と取外しを行い、結束具を繰り返して使用する方法も増加してきている。
【０００３】
上記のように繰り返して用いる場合には、ＰＰバンドなどの帯状体が傷んだ場合に適宜交換する必要があり、図１に示すように、上記接続具における帯状体５の取付部６は、通常、接続具の端部４に設けられて外部から見える構造とされており、帯状体５の交換が容易な構造とされている。
【発明の開示】
【発明が解決しようとする課題】
【０００４】
しかし、上記帯状体の取付部においては、通常、帯状体は巻回されて融着されたり、針金により固定されたりして取り付けられるが、外観（見映え）が悪くなりやすく、取付部の美観が劣る傾向がある。また、繰り返して使用する際には、外部から汚れたり傷ついたりして更に美観が損なわれるとともに、取付部の強度低下が起こることもあった。
【０００５】
本発明の目的は、上記問題点に鑑み、取付部における帯状体の交換が容易であるとともに、取付部が外部から遮蔽され保護されることで、外観向上と強度低下の抑制が可能な帯状体の接続具を提供することにあり、特に運搬台車などにおける結束具として好適な帯状体の接続具を提供することにある。
【課題を解決するための手段】
【０００６】
本発明の帯状体の接続具は、帯状体を連結するための分割型の接続具であって、接続具端部に帯状体を取付けるための取付部と係止部を有する雌形部とが設けられ、前記雌形部に抜き差し可能な係止部を有する雄形部材を有し、前記雄形部材を前記雌形部に差し込んで係止したときに、帯状体の取付部が接続具外部から遮蔽されていることを特徴とするものである。
【発明の効果】
【０００７】
上記のように、本発明によれば、帯状体の交換時には上記雄形部材を雌形部から抜いて外すことで、取付部における帯状体の交換を容易になすことができ、使用時には上記雄形部材を雌形部に差し込んで係止することで、取付部が外部から遮蔽され保護することができ、取付部における外観向上が図れるとともに、繰り返し使用時の強度低下を抑制することが可能となる。従って、特に運搬台車などにおける結束具として繰り返し使用される場合に好適な帯状体の接続具を提供することができる。
【発明を実施するための最良の形態】
【０００８】
以下、本発明を実施するための最良の形態について、図面を参照しつつ説明する。
図２〜５は本発明にかかる帯状体の接続具の一例を示す模式図である。
本発明の帯状体の接続具１は、図２〜５に示すように、例えば、扁平筒状をなす雌バックル２と雌バックル２に嵌合可能な雄バックル３とからなる分割型の接続具１であって、接続具１の雌バックル２及び雄バックル３の端部４に、帯状体５を取り付けるための、帯状体５の幅方向に対応する軸形状を有する取付部６と、扁平筒状をなしその内面の上下面（帯状体の幅方向と平行な面）に係止部７を有する雌形部８とが設けられている。
【０００９】
更に、本発明の接続具１は雄形部材９を有し、雄形部材９は、上記雌形部８に抜き差し可能であり、取付部６の上下面（帯状体の幅方向と平行な面）を遮蔽可能な平面部１０ａを有するとともに雌形部８の係止部に７に係合可能な係止部１０を有し、雄形部材９を雌形部８に差し込んで係合したときに、取付部６が雄形部材９の平面部１０ａにより接続具外部から遮蔽されている構造となっている。
【００１０】
上記における係止部７及び１０は、必ずしも上下面において係合可能なものに限らず、本発明の効果を損なわない限り、側面（帯状体の幅方向と垂直な面）において係合可能なもの、或いは双方ともに係合可能なものであってもよい。
【００１１】
上記接続具１の材質としては、特に限定されないが、成形性や軽量性の点で合成樹脂製のものが好ましい。上記合成樹脂としては、特に限定されず、例えば、ポリオレフィン系樹脂、アクリル系樹脂、ポリ塩化ビニル系樹脂などの汎用樹脂のほか、ポリカーボネート、ＡＢＳ、ポリアセタールなどのエンジニアリングプラスチックなどが挙げられる。
【００１２】
また、上記合成樹脂は、必ずしも不透明である必要はなく、取付部６が遮蔽され外観向上の効果が発揮できる程度に半透明のものであってもよい。
【００１３】
上記接続具１は、運搬台車などにおいて、容器など荷物の結束及び取り外しを容易とし繰り返して用いるために、例えば雌バックル２と雄バックル３などからなる分割型のものとされる。上記において、分割部の連結方法については特に限定されず、従来公知の連結及び連結解除が容易な方法が用いられる。
【００１４】
上記接続具１を、運搬台車の結束具として用いる場合は、例えば、運搬台車上に容器などの荷物を段積みし、帯状体５として例えばＰＰバンドを用い、ＰＰバンドを取付部６に巻回して融着し、雄形部材９を雌形部８に差し込んで係合したものを結束具として用い、運搬台車と荷物の周囲に上記結束具を巻き付け、雌バックル２と雄バックル３を連結することで、運搬台車と荷物を結束して運搬することができる。また、運搬後の荷おろしの際には、上記雌バックル２と雄バックル３の連結を解除することで容易に荷おろしをすることができ、接続具１を用いた結束具は更に繰り返し使用することができる。
【００１５】
上記接続具１は、取付部６が雄形部材９によって遮蔽されるため、帯状体の融着部分などが外部から遮蔽され、結束具として極めて良好な外観（見映え）を有するものとなるとともに、取付部６における外部からの汚染や傷つきを防止することができる。
【００１６】
また、繰り返し使用により帯状体５が劣化し交換が必要とされる場合には、雄形部材９を雌形部８から抜いて外すことができるので、取付部６における帯状体を容易に交換することができる。
【図面の簡単な説明】
【００１７】
【図１】従来の帯状体の接続具を例示する模式図である。
【図２】本発明に係る帯状体の接続具の一例を示す模式図である。
【図３】本発明に係る接続具の端部における雌形部と雄形部材との係合状態の一例を示す模式組立図であり、（ａ）は平面図、（ｂ）は側面断面図である。
【図４】本発明に係る接続具の雄形部材の一例を示す模式図であり、（ａ）は左側面図、（ｂ）は平面図、（ｃ）は右側面図、（ｄ）は側面断面図である。
【図５】本発明に係る接続具の端部雌形部の一例を示す模式図であり、（ａ）は平面図、（ｂ）は側面断面図、（ｃ）は右側面図である。
【符号の説明】
【００１８】
１  帯状体の接続具
２  雌バックル
３  雄バックル
４  端部
５  帯状体
６  取付部
７，１０  係止部
１０ａ  平面部
８  雌形部
９  雄形部材
【図１】
2005075435.tif 000003
【図２】
2005075435.tif 000004
【図３】
2005075435.tif 000005
【図４】
2005075435.tif 000006
【図５】
2005075435.tif 000007